Podtech/llm-jp-corpus-v4-ja_patent huggingface dataset:
【手続補正書】
【提出日】平成30年7月27日(2018.7.27)
【手続補正１】
【補正対象書類名】特許請求の範囲
【補正対象項目名】全文
【補正方法】変更
【補正の内容】
【特許請求の範囲】
【請求項１】
第１のローラと、
前記第１のローラから離れて配置される第２のローラと、
その中に前記第１のローラおよび前記第２のローラが配置されるリングと、
前記第１のローラの表面と前記リングの内面との間に画定され、上流側および下流側を有する第１のニップと、
前記第２のローラの表面と前記リングの前記内面との間に画定され、上流側および下流側を有する前記第２のニップと、
前記第１のローラおよび前記第２のローラを流体で覆う流体源と、
前記第１のローラおよび前記第２のローラを駆動させて同じ方向に回転させて、これにより、前記第１のローラ上の前記流体が、前記第１のニップの前記上流側から前記第１のニップの前記下流側に引き込まれて、前記第１のローラの分岐面と前記リングの前記内面との間で引き伸ばされ、前記第２のローラ上の前記流体が、前記第２のニップの前記上流側から前記第２のニップの前記下流側に引き込まれて、前記第２のローラの分岐面と前記リングの前記内面との間で引き伸ばされるよう構成される駆動要素と、を含み、
前記第１のローラの前記分岐面と前記リングの前記内面の間で引き伸ばされる前記流体から第１の流体フィラメントが形成され、前記第１の流体フィラメントが千切れて複数の第１の小滴となり、前記第２のローラの分岐面と前記リングの前記内面の間で引き伸ばされる前記流体から第２の流体フィラメントが形成され、前記第２の流体フィラメントが千切れて複数の第２の小滴となる、エローゾル生成システム。
【請求項２】
前記第１のローラおよび前記第２のローラが、前記リングの内面に沿って円形構成で配置される、請求項１に記載のエローゾル生成システム。
【請求項３】
前記第１のローラおよび前記第２のローラの前記円形構成が、中央内部空間を規定し、前記流体源が、前記第１のローラおよび前記第２のローラを、前記中央内部空間内の位置からの前記流体で覆う、請求項２に記載のエローゾル生成システム。
【請求項４】
前記流体源は、少なくとも前記リングの前記内面の部分を前記第１のニップの上流側及び前記第２のニップの上流側で被覆することにより、前記第１のローラおよび前記第２のローラを前記流体で覆う、請求項２に記載のエローゾル生成システム。
【請求項５】
前記第１のローラは、前記第１のニップで前記リングの前記内面と物理的に接触し、前記第２のローラは、前記第２のニップで前記リングの前記内面と物理的に接触する、請求項２に記載のエローゾル生成システム。
【請求項６】
前記流体源が、前記第１のローラおよび前記第２のローラを、前記第１のローラと前記第２のローラとの間の位置からの前記流体で覆う、請求項１に記載のエローゾル生成システム。
【請求項７】
前記駆動要素が、前記リングを駆動させて前記第１のローラおよび前記第２のローラと前記同じ方向で回転させるようさらに構成される、請求項１に記載のエローゾル生成システム。
【請求項８】
前記第１のローラ上の前記流体の厚さを制御する第１のドクターブレードと、前記第２のローラ上の前記流体の厚さを制御する第２のドクターブレードと、をさらに含む請求項１に記載のエローゾル生成システム。
【請求項９】
前記第１のニップおよび前記第２のニップの前記上流側の流体圧力が、前記第１のニップおよび前記第２のニップの前記下流側の流体圧力より大きい、請求項１に記載のエローゾル生成システム。
【請求項１０】
前記第１のローラおよび前記第２のローラから離れ前記リング内に配置される第３のローラと、前記第３のローラの表面と前記リングの内面との間に画定され、上流側および下流側を有する第３のニップと、をさらに含み、前記駆動要素が、前記第３のローラを駆動させて前記第１のローラおよび前記第２のローラと同じ方向に回転させ、これにより、流体が、前記第３のニップの前記上流側から前記第３のニップの前記下流側に引き込まれて、前記第３のローラの分岐面と前記リングの前記内面との間で引き伸ばされるよう構成され、前記流体が、前記第３のローラの前記分岐面と前記リングの前記内面との間で引き伸ばされて、第３の流体フィラメントが形成され、前記第３の流体フィラメントが千切れて複数の第３の小滴となる、請求項１に記載のエローゾル生成システム。
【請求項１１】
前記複数の第１の小滴が、前記第１のニップの下流側から離れる方向に千切れ、前記複数の第２の小滴が、前記第２のニップの下流側から離れる方向に千切れる、請求項１に記載のエローゾル生成システム。
【請求項１２】
さらに、前記複数の第１の小滴および前記複数の第２の小滴を集める回収要素を含む、請求項１１に記載のエローゾル生成システム。
【手続補正書】
【提出日】平成30年6月22日(2018.6.22)
【手続補正１】
【補正対象書類名】特許請求の範囲
【補正対象項目名】全文
【補正方法】変更
【補正の内容】
【特許請求の範囲】
【請求項１】
発光部と、
前記発光部を包囲し、前記発光部の光を広角に配光する反射ミラーと、
前記反射ミラーに選択的に設けられ、前記反射ミラーの出射開口から出射される出射光を中角に配光する透過型光学素子と、を備え、
前記反射ミラーは、
拡散反射、及び正反射の両方により前記光を配光するとともに、
前記発光部の放射光のうち、光軸を中心に前記広角の配光の１／２ビーム角、または当該１／２ビーム角以上に相当する範囲の光を直接光により出射する高さである
ことを特徴とする光源ユニット。
【請求項２】
前記反射ミラーが、前記発光部が設けられた基板を押圧していることを特徴とする請求項１に記載の光源ユニット。
【請求項３】
前記透過型光学素子は、
前記反射ミラーの出射開口に設けられる素子本体部を備え、
前記素子本体部の表面には、前記出射開口から入射する光を、光軸に近づく方向に屈折して前記中角に配光する凹凸が形成されている、
ことを特徴とする請求項１または２に記載の光源ユニット。
【請求項４】
前記透過型光学素子は、
前記凹凸の凹部の最下点、及び凸部の頂点が所定の曲率半径の曲面形状であることを特徴とする請求項３に記載の光源ユニット。
【請求項５】
前記透過型光学素子は、
前記光軸を中心に前記反射ミラーの開口と相似形状に開口し前記直接光を通す孔部が設けられている
ことを特徴とする請求項３または４に記載の光源ユニット。
【請求項６】
請求項１〜５のいずれかに記載の光源ユニットと、
前記光源ユニットを内蔵する筐体と、
前記筐体に設けられるグローブと、
を備えたことを特徴とする照明器具。
【請求項７】
請求項１または２に記載の光源ユニットと、
前記光源ユニットを内蔵する筐体と、
前記筐体に設けられるグローブと、を備え、
前記透過型光学素子は、前記グローブの前記発光部側の面に設けられている
ことを特徴とする照明器具。
【請求項８】
請求項１〜５のいずれかに記載の光源ユニットにおいて、
前記透過型光学素子の表面には、凹部及び凸部が形成されており、
前記凸部はその頂点を挟んだ両側に傾斜面を有し、
前記頂点からみて前記光軸に近い側の傾斜面は、前記反射ミラーで反射した反射光成分を、入射方向よりも前記光軸の方向に近づく向きに屈折し、一方、前記頂点からみて前記光軸から遠い側の傾斜面は、前記発光部の直接光成分を、入射方向よりも前記光軸の方向に近づく向きに屈折する
ことを特徴とする光源ユニット。
【手続補正２】
【補正対象書類名】明細書
【補正対象項目名】０００５
【補正方法】変更
【補正の内容】
【０００５】
上記目的を達成するために、本発明は、発光部と、前記発光部を包囲し、前記発光部の光を広角に配光する反射ミラーと、前記反射ミラーに選択的に設けられ、前記反射ミラーの出射開口から出射される出射光を中角に配光する透過型光学素子と、を備え、前記反射ミラーは、拡散反射、及び正反射の両方により前記光を配光するとともに、前記発光部の放射光のうち、光軸を中心に前記広角の配光の１／２ビーム角、または当該１／２ビーム角以上に相当する範囲の光を直接光により出射する高さであることを特徴とする光源ユニットを提供する。
【手続補正３】
【補正対象書類名】明細書
【補正対象項目名】０００６
【補正方法】削除
【補正の内容】
【手続補正４】
【補正対象書類名】明細書
【補正対象項目名】００１０
【補正方法】変更
【補正の内容】
【００１０】
また本発明は、上記光源ユニットにおいて、前記透過型光学素子は、前記光軸を中心に前記反射ミラーの開口と相似形状に開口し前記直接光を通す孔部が設けられていることを特徴とする。
【手続補正５】
【補正対象書類名】明細書
【補正対象項目名】００１１
【補正方法】削除
【補正の内容】
【手続補正６】
【補正対象書類名】明細書
【補正対象項目名】００１３
【補正方法】変更
【補正の内容】
【００１３】
また本発明は、上記のいずれかに記載の光源ユニットと、前記光源ユニットを内蔵する筐体と、前記筐体に設けられるグローブと、を備え、前記透過型光学素子は、前記グローブの前記発光部側の面に設けられていることを特徴とする照明器具を提供する。
また本発明は、上記のいずれかに記載の光源ユニットにおいて、前記透過型光学素子の表面には、凹部及び凸部が形成されており、前記凸部はその頂点を挟んだ両側に傾斜面を有し、前記頂点からみて前記光軸に近い側の傾斜面は、前記反射ミラーで反射した反射光成分を、入射方向よりも前記光軸の方向に近づく向きに屈折し、一方、前記頂点からみて前記光軸から遠い側の傾斜面は、前記発光部の直接光成分を、入射方向よりも前記光軸の方向に近づく向きに屈折することを特徴とする。
【手続補正書】
【提出日】平成30年6月20日(2018.6.20)
【手続補正１】
【補正対象書類名】特許請求の範囲
【補正対象項目名】全文
【補正方法】変更
【補正の内容】
【特許請求の範囲】
【請求項１】
ダイカスト製の筒状の本体部を備えた照明器具において、
前記本体部の一端側には光源が取り付けられ、
前記本体部には、前記光源に対して前記本体部の他端側に、複数のフィン部をダイカストによって一体に成型するとともに、複数の薄板状の放熱フィンを取り付けたことを特徴とする照明器具。
【請求項２】
複数の前記放熱フィンの周囲にガードを設けたことを特徴とする請求項１に記載の照明器具。
【請求項３】
前記ガードは、板状に形成され、前記フィン部を兼ねることを特徴とする請求項２に記載の照明器具。
【請求項４】
前記ガードを複数設け、
前記放熱フィンと前記ガードとを揃えて配置したことを特徴とする請求項３に記載の照明器具。
【手続補正２】
【補正対象書類名】明細書
【補正対象項目名】０００５
【補正方法】変更
【補正の内容】
【０００５】
上述した目的を達成するために、本発明は、ダイカスト製の筒状の本体部を備えた照明器具において、前記本体部の一端側には光源が取り付けられ、前記本体部には、前記光源に対して前記本体部の他端側に、複数のフィン部をダイカストによって一体に成型するとともに、複数の薄板状の放熱フィンを取り付けたことを特徴とする。
【手続補正書】
【提出日】平成30年6月1日(2018.6.1)
【手続補正１】
【補正対象書類名】特許請求の範囲
【補正対象項目名】全文
【補正方法】変更
【補正の内容】
【特許請求の範囲】
【請求項１】
リチウム複酸化物を含む多孔質の活物質と、
前記活物質の表面及び内部に設けられた第１の無機固体電解質と、
前記活物質と前記第１の無機固体電解質との間を埋めて設けられ、構成元素としてホウ素を含有する非晶質の第２の無機固体電解質と、
を備えることを特徴とする電極複合体。
【請求項２】
前記リチウム複酸化物は、ＬｉＣｏＯ２である請求項１に記載の電極複合体。
【請求項３】
前記第１の無機固体電解質は、Ｌｉ7-xＬａ3（Ｚｒ2-x，Ｍx）Ｏ12である請求項１に記載の電極複合体。
［式中、Ｍは、Ｎｂ、Ｓｃ、Ｔｉ、Ｖ、Ｙ、Ｈｆ、Ｔａ、Ａｌ、Ｓｉ、Ｇａ、Ｇｅ、Ｓｎ、およびＳｂのうちの少なくとも１種を表し、Ｘは０以上２以下の実数を表す。］
【請求項４】
前記第２の無機固体電解質は、Ｌｉ2+XＢXＣ1-XＯ3（Ｘは、０超１未満の実数を表す。）である請求項１ないし３のいずれか１項に記載の電極複合体。
【請求項５】
前記第１の無機固体電解質は、結晶質の固体電解質である請求項１ないし４のいずれか１項に記載の電極複合体。
【請求項６】
前記第１の無機固体電解質は、非晶質の固体電解質である請求項１ないし４のいずれか１項に記載の電極複合体。
【請求項７】
前記第２の無機固体電解質の融点は、前記第１の無機固体電解質の融点よりも低い、請求項1ないし４のいずれか１項に記載の電極複合体。
【請求項８】
請求項１ないし７のいずれか１項に記載の電極複合体と、
前記電極複合体の一方の面において、前記活物質に接して設けられた集電体と、
前記電極複合体の他方の面において、前記第１の無機固体電解質または前記第２の無機固体電解質と接するように設けられた電極と、
を有することを特徴とするリチウム電池。
【請求項９】
前記電極複合体と前記電極との間に設けられ、構成元素としてホウ素を含有する非晶質の第３の無機固体電解質を備える、請求項８に記載のリチウム電池。
【手続補正書】
【提出日】平成29年12月12日(2017.12.12)
【手続補正１】
【補正対象書類名】特許請求の範囲
【補正対象項目名】全文
【補正方法】変更
【補正の内容】
【特許請求の範囲】
【請求項１】
アプリケーションにおけるアプリケーション名を取得する取得部と、
前記アプリケーション名に対応づけられた印刷パラメータについて、第１のパラメータ値と、前記第１のパラメータ値とは異なる第２のパラメータ値とを対応付けた変換テーブルを記憶する記憶部と、
前記アプリケーションにより設定された前記印刷パラメータにおける前記第１のパラメータ値が、前記変換テーブルに登録されているのか否かを判断する判断部と、
前記判断部による判断結果に応じて印刷データを生成する生成部と
を備え、
前記判断部によって、前記アプリケーションにより設定された前記印刷パラメータにおける前記第１のパラメータ値が、前記変換テーブルに登録されているとの判断結果が得られた場合には、
前記生成部は、前記アプリケーションにより設定された前記印刷パラメータにおける前記第１のパラメータ値を、前記第２のパラメータ値に変更すると共に、その第２のパラメータ値を用いて前記印刷データを生成する
情報処理装置。
【請求項２】
前記第２のパラメータ値を用いて前記印刷データが生成される場合において、前記第１のパラメータ値を用いて得られる印刷結果に近似した印刷結果を得るための代替手段が、前記変換テーブルに更に含まれており、
前記生成部は、前記第２のパラメータ値を用いて前記印刷データを生成する際に、前記代替手段の内容も利用して前記印刷データを生成する
請求項１に記載の情報処理装置。
【請求項３】
前記判断部によって、前記アプリケーションにより設定された前記印刷パラメータにおける前記第１のパラメータ値が、前記変換テーブルに登録されていないとの判断結果が得られた場合には、
前記生成部は、前記第１の印刷パラメータ値を用いて前記印刷データを生成する
請求項１または請求項２に記載の情報処理装置。
【請求項４】
前記印刷パラメータが、単一の印刷パラメータ、あるいは、２以上の印刷パラメータの組み合わせからなる
請求項１ないし請求項３のいずれか１項に記載の情報処理装置。
【請求項５】
前記印刷パラメータが、解像度および用紙サイズのうちの少なくとも１つを含んで構成されている
請求項４に記載の情報処理装置。
【手続補正２】
【補正対象書類名】明細書
【補正対象項目名】０００６
【補正方法】変更
【補正の内容】
【０００６】
本発明の情報処理装置は、アプリケーションにおけるアプリケーション名を取得する取得部と、アプリケーション名に対応づけられた印刷パラメータについて、第１のパラメータ値と、この第１のパラメータ値とは異なる第２のパラメータ値とを対応付けた変換テーブルを記憶する記憶部と、アプリケーションにより設定された印刷パラメータにおける第１のパラメータ値が、変換テーブルに登録されているのか否かを判断する判断部と、この判断部による判断結果に応じて印刷データを生成する生成部とを備えたものである。上記判断部によって、アプリケーションにより設定された印刷パラメータにおける第１のパラメータ値が、変換テーブルに登録されているとの判断結果が得られた場合には、上記生成部は、アプリケーションにより設定された印刷パラメータにおける第１のパラメータ値を、第２のパラメータ値に変更すると共に、その第２のパラメータ値を用いて印刷データを生成する。
【手続補正書】
【提出日】平成29年12月22日(2017.12.22)
【手続補正１】
【補正対象書類名】特許請求の範囲
【補正対象項目名】全文
【補正方法】変更
【補正の内容】
【特許請求の範囲】
【請求項１】
媒体を収納する収納空間を内部に有する媒体収納庫であって、
内部構造体であるフレームと、
前記収納空間を形成する紙幣ガイドと、
バッテリとを有し、
前記紙幣ガイドは、前記フレームに対して取り付け及び取り外し可能に形成されており、
前記バッテリは、前記フレームと前記紙幣ガイドとの間に配置されている
ことを特徴とする媒体収納庫。
【請求項２】
請求項１に記載の媒体収納庫において、
前記紙幣ガイドは、前記フレームに取り付けられることによって、前記バッテリの一側面の全部又は一部を覆うカバーとして機能する
ことを特徴とする媒体収納庫。
【請求項３】
請求項１又は請求項２に記載の媒体収納庫において、
さらに、前記媒体収納庫が具備する各種の機能を制御する制御部を有し、
前記バッテリは、前記制御部に電力を供給する
ことを特徴とする媒体収納庫。
【請求項４】
請求項３に記載の媒体収納庫において、
前記紙幣ガイドは、前記フレームに取り付けられることによって、前記制御部の一側面の全部又は一部を覆うカバーとして機能する
ことを特徴とする媒体収納庫。
【請求項５】
請求項３又は請求項４に記載の媒体収納庫において、
前記紙幣ガイドは、前記フレームに取り付けられることによって、前記制御部と前記バッテリとを接続するコネクタの一側面を覆うカバーとして機能する
ことを特徴とする媒体収納庫。
【請求項６】
請求項３乃至請求項５のいずれか一項に記載の媒体収納庫において、
前記制御部は、コネクタ実装面が前記収納空間の方を向くように、配置されている
ことを特徴とする媒体収納庫。
【請求項７】
請求項１乃至請求項６のいずれか一項に記載の媒体収納庫において、
前記紙幣ガイドの表面は、前記収納空間を形成するガイド面として形成されており、また、前記紙幣ガイドの裏面は、前記バッテリの一側面の全部又は一部を覆うカバー面として形成されている
ことを特徴とする媒体収納庫。
【請求項８】
請求項１乃至請求項７のいずれか一項に記載の媒体収納庫において、
前記紙幣ガイドは、前記収納空間の前後左右の方向に配置されており、
前記バッテリは、前後左右のいずれか１乃至複数の方向に配置された前記紙幣ガイドと前記フレームとの間に配置されている
ことを特徴とする媒体収納庫。
【請求項９】
請求項１乃至請求項８のいずれか一項に記載の媒体収納庫において、
前記バッテリは、二次電池であり、
さらに、前記媒体を搬送する媒体搬送部と、前記二次電池を充電する非接触電力供給手段の受電装置とを有し、
前記非接触電力供給手段の電力供給量は、前記媒体搬送手段の最大消費電力量よりも少ない
ことを特徴とする媒体収納庫。
【請求項１０】
請求項３乃至請求項６のいずれか一項に記載の媒体収納庫において、
前記紙幣ガイドは複数の部分からなり、前記紙幣ガイドの１つの部分が前記バッテリの一側面の全部又は一部を覆うカバーとして機能し、前記紙幣ガイドの他の１つの部分が前記制御部の一側面の全部又は一部を覆うカバーとして機能する
ことを特徴とする媒体収納庫。
【請求項１１】
現金を取り扱う現金取扱装置であって、
請求項１乃至請求項１０のいずれか一項に記載の媒体収納庫と、
前記媒体収納庫を含む任意の場所に媒体としての紙幣を搬送する搬送部とを有する
ことを特徴とする現金取扱装置。
【手続補正２】
【補正対象書類名】明細書
【補正対象項目名】００２２
【補正方法】変更
【補正の内容】
【００２２】
筺体２の内部には、ステージ１５が配置されている。ステージ１５の形状は、上面視において、左右方向を長手方向とし、前後方向を短手方向とする、矩形状の基体部分をベースにし、矩形状の基体部分の前辺中央部分と前辺右部分と前辺左部分とに突出部を設けた形状になっている（図４参照）。ステージ１５の上面は、平坦面状に形成されており、紙幣が上に集積される。ステージ１５は、図示せぬ駆動手段によって上下方向に移動可能であり、ステージ１５の上面に紙幣が集積されるにつれて下降する構成になっている。
【手続補正書】
【提出日】平成30年6月5日(2018.6.5)
【手続補正１】
【補正対象書類名】明細書
【補正対象項目名】０００６
【補正方法】変更
【補正の内容】
【０００６】
そこで本願発明では、用紙厚が薄い場合であっても、複数の用紙を重ねた際に、複数の用紙を重ね合わせるための情報が透けることを抑止した画像データを作成することができる技術を提供することを目的としている。
【手続補正２】
【補正対象書類名】明細書
【補正対象項目名】０００７
【補正方法】変更
【補正の内容】
【０００７】
上記目的を達成するために、本発明の情報処理装置は、画像を所定の数で分割することが可能な情報処理装置であって、分割された複数の分割画像を重ね合わせるための領域に配置する説明情報の配置位置を、前記領域と重なり合う分割画像の色に基づいて決定する決定手段と、前記決定手段で決定された配置位置に配置される説明情報と分割画像とを用いて画像データを生成する生成手段と、を備えることを特徴とする。
【手続補正３】
【補正対象書類名】明細書
【補正対象項目名】０００８
【補正方法】変更
【補正の内容】
【０００８】
このように、用紙厚が薄い場合であっても、複数の用紙を重ねた際に、複数の用紙を重ね合わせるための情報が透けることを抑止した画像データを作成することができる。
【手続補正４】
【補正対象書類名】特許請求の範囲
【補正対象項目名】全文
【補正方法】変更
【補正の内容】
【特許請求の範囲】
【請求項１】
画像を所定の数で分割することが可能な情報処理装置であって、
分割された複数の分割画像を重ね合わせるための領域に配置する説明情報の配置位置を、前記領域と重なり合う分割画像の色に基づいて決定する決定手段と、
前記決定手段で決定された配置位置に配置される説明情報と分割画像とを用いて画像データを生成する生成手段と、
を備えることを特徴とする情報処理装置。
【請求項２】
前記生成手段は、前記分割された複数の分割画像の数に対応する前記画像データを生成することを特徴とする請求項１に記載の情報処理装置。
【請求項３】
前記領域に重ね合わせた際に上側となる前記分割画像に含まれる色を用いて当該色に基づく値を算出する算出手段をさらに備え、
前記決定手段は、前記算出手段で算出された前記値に基づいて、前記説明情報の配置位置を決定することを特徴とする請求項１または２に記載の情報処理装置。
【請求項４】
前記決定手段は、前記値から求まる明度が最も低い前記分割画像の位置と対応する前記領域の位置を、前記説明情報の配置位置として決定することを特徴とする請求項３に記載の情報処理装置。
【請求項５】
前記領域に配置する説明情報の色を、前記決定手段で決定された位置に対応する前記値に基づいて決定する色決定手段を更に備えることを特徴とする請求項３または４に記載の情報処理装置。
【請求項６】
前記色決定手段は、前記決定手段で決定された位置に対応する前記値から求まる明度が閾値以上である場合には前記説明情報の色を前記算出手段で算出された前記値に対応する色とし、当該明度が閾値未満である場合には前記説明情報の色をあらかじめ設定可能な所定の色とすることを特徴とする請求項５に記載の情報処理装置。
【請求項７】
前記説明情報は、前記分割画像を重ね合わせるために、前記分割画像の各配置位置または重ね合わせる順番を説明するための情報を含むことを特徴とする請求項１乃至６のいずれか１項に記載の情報処理装置。
【請求項８】
前記値は、前記分割画像に含まれる色の平均値であることを特徴とする請求項３乃至７のいずれか１項に記載の情報処理装置。
【請求項９】
画像を所定の数で分割することが可能な情報処理装置の制御方法であって、
分割された複数の分割画像を重ね合わせるための領域に配置する説明情報の配置位置を、前記領域と重なり合う分割画像の色に基づいて決定する決定ステップと、
前記決定ステップで決定された配置位置に配置される説明情報と分割画像とを用いて画像データを生成する生成ステップと、
を含むことを特徴とする情報処理装置の制御方法。
【請求項１０】
コンピュータを、請求項１乃至８のいずれか１項に記載の情報処理装置の各手段として機能させるためのプログラム。
【手続補正書】
【提出日】平成30年6月7日(2018.6.7)
【手続補正１】
【補正対象書類名】特許請求の範囲
【補正対象項目名】全文
【補正方法】変更
【補正の内容】
【特許請求の範囲】
【請求項１】
複数の入力画像を順次または並列に対象画像として繰り返し処理を行う画像処理装置であって、
前記複数の入力画像の処理順序の決定を行なう処理制御部と、
前記処理制御部で決定された前記処理順序に従って、処理単位が前記対象画像内に存在する被写体を特定するための識別情報の認識処理を行い、当該認識処理結果と前記対象画像との紐付けを行う第一の画像処理を、前記複数の入力画像に対して非同期で行う一枚処理部と、
前記処理単位が、
前記対象画像に対する前記第一の画像処理と、当該対象画像と前記処理順序の前または後に連続して位置する参照画像に対する前記第一の画像処理がすべて終了したか否かを判定し、
前記第一の画像処理がすべて終了したと判定された場合であって、前記一枚処理部で処理された前記対象画像内に前記識別情報が紐付けられていない被写体が存在する場合に、前記対象画像と前記参照画像との類似度の比較を行い、当該比較結果に基づいて前記参照画像のいずれか１つに紐付けられた識別情報を前記対象画像に紐付ける第二の画像処理を行う一方、
前記第一の画像処理が終了していないと判定された場合には、前記第二の画像処理の実行を待機する複数枚処理部と、
を備えることを特徴とする画像処理装置。
【請求項２】
前記処理制御部は、事前に設定された処理数または動的に決定された処理数に応じて、前記第一の画像処理の実行単位または／および前記第二の画像処理の実行単位を一または複数生成することを特徴とする請求項１に記載の画像処理装置。
【請求項３】
前記一枚処理部は、前記第一の画像処理の実行単位が前記入力画像の前記処理単位よりも少ない場合であって、前記対象画像が当該実行単位で前記第一の画像処理が終了していないと判定された場合には、当該対象画像と前記処理順序の後に連続して位置する前記参照画像に対する前記第一の画像処理の実行を待機することを特徴とする請求項２に記載の画像処理装置。
【請求項４】
前記複数枚処理部は、前記第二の画像処理の実行単位が前記入力画像の前記処理単位よりも少ない場合であって、当該対象画像と前記処理順序の後に連続して位置する前記参照画像に対する前記第一の画像処理の実行または前記第二の画像処理の実行を待機すること特徴とする請求項２または請求項３に記載の画像処理装置。
【請求項５】
前記複数枚処理部は、前記第二の画像処理の処理結果に基づき最適化されたパラメータを算出し、前記処理制御部が生成する前記実行単位へ当該パラメータを反映させる最適パラメータ算出部をさらに備えることを特徴とする請求項２乃至請求項４に記載の画像処理装置。
【請求項６】
複数の入力画像を順次または並列に対象画像として繰り返し処理を行う画像処理装置の画像処理方法であって、
前記複数の入力画像の処理順序の決定を行なう処理制御ステップと、
前記処理制御ステップで決定された前記処理順序に従って、処理単位が前記対象画像内に存在する被写体を特定するための識別情報の認識処理を行い、当該認識処理結果と前記対象画像との紐付けを行う第一の画像処理を、前記複数の入力画像に対して非同期で行う一枚処理ステップと、
前記処理単位が、
前記対象画像に対する前記第一の画像処理と、当該対象画像と前記処理順序の前または後に連続して位置する参照画像に対する前記第一の画像処理がすべて終了したか否かを判定し、
前記第一の画像処理がすべて終了したと判定された場合であって、前記一枚処理ステップで処理された前記対象画像内に前記識別情報が紐付けられていない被写体が存在する場合に、前記対象画像と前記参照画像との類似度の比較を行い、当該比較結果に基づいて前記参照画像のいずれか１つに紐付けられた識別情報を前記対象画像に紐付ける第二の画像処理を行う一方、
前記第一の画像処理が終了していないと判定された場合には、前記第二の画像処理の実行を待機する複数枚処理ステップと、
を備えることを特徴とする画像処理方法。
【請求項７】
請求項１乃至請求項５の何れか１項に記載の各手段をコンピュータに機能させるためのプログラム。
【手続補正書】
【提出日】平成30年6月4日(2018.6.4)
【手続補正１】
【補正対象書類名】特許請求の範囲
【補正対象項目名】請求項１１
【補正方法】変更
【補正の内容】
【請求項１１】
すべての主波長と所定の波長幅の組み合わせについて前記入力色度データと前記出力色度データの対応を取得したか否かを判定し、
前記対応が未取得の前記主波長と波長幅の組み合わせがある場合、前記パラメータを変更して、前記矩形分光データの生成、前記三刺激値の算出、前記主成分係数の算出、前記主成分分光データの生成、前記色データの算出、前記入力色度データの算出、前記出力色度データの算出、および、前記格納を繰り返す請求項9または請求項10に記載された色処理方法。
【手続補正書】
【提出日】平成30年6月4日(2018.6.4)
【手続補正１】
【補正対象書類名】特許請求の範囲
【補正対象項目名】全文
【補正方法】変更
【補正の内容】
【特許請求の範囲】
【請求項１】
触覚が可変な触覚可変部を有し、操作の入力が行われる表面と、
前記表面へのスライド操作の入力を検出する検出手段と、
前記触覚可変部の触覚が、前記触覚可変部以外の表面の領域の触覚である第１触覚および前記第１触覚とは異なる第２触覚のうちのいずれかとなるように、前記触覚可変部を制御する制御手段と、
を有する操作装置であって、
前記制御手段は、前記検出手段によって前記入力が検出された場合、前記入力を検出された前記スライド操作が前記触覚可変部に到達する前に前記触覚可変部の触覚が前記第１触覚となるように、前記触覚可変部を制御する、
ことを特徴とする操作装置。
【請求項２】
前記第２触覚を有する前記触覚可変部は、前記触覚可変部以外の前記表面の前記領域より突出した凸形状を有することを特徴とする請求項１に記載の操作装置。
【請求項３】
前記制御手段は、前記検出手段により前記入力が検出された位置と前記触覚可変部との間の距離がある範囲内となった場合に、前記触覚可変部の触覚が前記第１触覚となるように、前記触覚可変部を制御する、ことを特徴とする請求項１に記載の操作装置。
【請求項４】
前記制御手段は、前記検出手段により前記入力を検出された位置からの距離が前記範囲内にある前記触覚可変部の触覚が前記第１触覚となるように、前記触覚可変部を制御する、ことを特徴とする請求項３に記載の操作装置。
【請求項５】
前記制御手段は、前記検出手段により前記入力が検出された前記スライド操作の方向において前方に前記触覚可変部がある場合に、前記触覚可変部の触覚が前記第１触覚となるように、前記触覚可変部を制御することを特徴とする請求項１に記載の操作装置。
【請求項６】
前記制御手段は、前記スライド操作の方向において前方に位置する前記触覚可変部の少なくとも１つの触覚が前記第１触覚となるように、前記触覚可変部を制御する、ことを特徴とする請求項５に記載の操作装置。
【請求項７】
前記検出手段は、タッチセンサを含むことを特徴とする請求項１乃至６のいずれか１項に記載の操作装置。
【請求項８】
請求項１乃至７のいずれか１項に記載の操作装置を有する撮像装置であって、前記操作装置は、前記撮像装置の機能に関する操作を実行することを特徴とする撮像装置。
【請求項９】
請求項１乃至７のいずれか１項に記載の操作装置を有する携帯情報端末であって、前記操作装置は、前記携帯情報端末の機能に関する操作を実行することを特徴とする携帯情報端末。
【請求項１０】
操作装置であって、
第１触覚と前記第１触覚とは異なる第２触覚との間で触覚が可変な触覚可変部を有し、操作の入力が行われる表面と、
前記表面へのスライド操作の入力を検出する検出手段と、
前記検出手段により前記入力が検出された場合、前記入力を検出された前記スライド操作が前記触覚可変部に到達する前に前記触覚可変部の触覚が前記第２触覚から前記第１触覚へ変更されるように、前記触覚可変部を制御する制御手段と、
を有することを特徴とする操作装置。
【請求項１１】
前記第２触覚を有する前記触覚可変部は、前記触覚可変部以外の前記表面の領域より突出した凸形状を有することを特徴とする請求項１０に記載の操作装置。
【請求項１２】
前記制御手段は、前記検出手段により前記入力が検出された位置と前記触覚可変部との間の距離がある範囲内となった場合に、前記触覚可変部の触覚が前記第２触覚から前記第１触覚へ変更されるように、前記触覚可変部を制御する、ことを特徴とする請求項１０に記載の操作装置。
【請求項１３】
前記制御手段は、前記検出手段により前記入力が検出された位置からの距離が前記範囲内にある前記触覚可変部の触覚が前記第２触覚から前記第１触覚へ変更されるように、前記触覚可変部を制御することを特徴とする請求項１２に記載の操作装置。
【請求項１４】
前記制御手段は、前記検出手段により前記入力を検出された前記スライド操作の方向において前方に前記触覚可変部がある場合に、前記触覚可変部の触覚が前記第２触覚から前記第１触覚へ変更されるように、前記触覚可変部を制御することを特徴とする請求項１０に記載の操作装置。
【請求項１５】
前記制御手段は、前記スライド操作の方向において前方に位置する前記触覚可変部の少なくとも１つの触覚が前記第２触覚から前記第１触覚へ変更されるように、前記触覚可変部を制御することを特徴とする請求項１４に記載の操作装置。
【請求項１６】
前記検出手段は、タッチセンサを含むことを特徴とする請求項１０乃至１５のいずれか１項に記載の操作装置。
【請求項１７】
請求項１０乃至１６のいずれか１項に記載の操作装置を有する撮像装置であって、前記操作装置は、前記撮像装置の機能に関する操作を実行することを特徴とする撮像装置。
【請求項１８】
請求項１０乃至１６のいずれか１項に記載の操作装置を有する端末であって、前記操作装置は、前記端末の機能に関する操作を実行することを特徴とする端末。
【請求項１９】
タブレット端末であることを特徴とする請求項１８に記載の端末。
【手続補正２】
【補正対象書類名】明細書
【補正対象項目名】０００６
【補正方法】変更
【補正の内容】
【０００６】
本発明の目的は、例えば、スライド操作の操作性の点で有利な操作装置を提供することである。
【手続補正３】
【補正対象書類名】明細書
【補正対象項目名】０００７
【補正方法】変更
【補正の内容】
【０００７】
上記目的を達成するために、本発明の操作装置は、触覚が可変な触覚可変部を有し、操作の入力が行われる表面と、前記表面へのスライド操作の入力を検出する検出手段と、前記触覚可変部の触覚が、前記触覚可変部以外の表面の領域の触覚である第１触覚および前記第１触覚とは異なる第２触覚のうちのいずれかとなるように、前記触覚可変部を制御する制御手段と、を有する操作装置であって、前記制御手段は、前記検出手段によって前記入力が検出された場合、前記入力を検出された前記スライド操作が前記触覚可変部に到達する前に前記触覚可変部の触覚が前記第１触覚となるように、前記触覚可変部を制御することを特徴とする。
【手続補正４】
【補正対象書類名】明細書
【補正対象項目名】０００８
【補正方法】変更
【補正の内容】
【０００８】
本発明によれば、例えば、スライド操作の操作性の点で有利な操作装置を提供することができる。
【手続補正書】
【提出日】平成30年5月24日(2018.5.24)
【手続補正１】
【補正対象書類名】特許請求の範囲
【補正対象項目名】全文
【補正方法】変更
【補正の内容】
【特許請求の範囲】
【請求項１】
複数のキューで管理されたジョブを処理する情報処理システムであって、
前記情報処理システム内で定期的に生成される第１のジョブを第１のキューに投入する第１の投入手段と、
前記情報処理システムが提供する画面を介した入力に対応する要求の受信に応じて生成される第２のジョブを、複数のキューの何れかに投入すべきか判定する判定手段と、
前記判定手段による判定に従い、前記第２のジョブを複数のキューの何れかに投入する第２の投入手段と、
前記第２のジョブの処理対象となったデータを用いた情報提供を行う提供手段と、を有し、
前記判定手段は、前記第２のジョブの処理対象となるデータの処理が完了していない場合には第２のキューに前記第２のジョブを投入すべきと判定し、前記第２のジョブの処理対象となるデータの処理が完了していた場合には第３キューに前記第２のジョブを投入すべきと判定し、
前記第２のキューで管理された前記第２のジョブが情報処理システムで処理された場合には、前記第３のキューに当該第２のジョブに対応して生成されたジョブが投入され、
前記提供手段は、前記第３のキューで管理されたジョブの属性情報に従い、前記第２のジョブの処理対象となったデータを用いた情報提供を行うことを特徴とする情報処理システム。
【請求項２】
前記第２の投入手段により前記第２のジョブを前記第２のキューに投入した場合に、前記第２のジョブと同じ属性情報を含む前記第１のキューで管理されている第１のジョブを削除する削除手段を更に有することを特徴とする請求項１に記載の情報処理システム。
【請求項３】
前記第１のキューで管理された前記第１のジョブが情報処理システムで処理された場合には、前記第３のキューに当該第１のジョブに対応して生成されたジョブが投入されることを特徴とする請求項１または２に記載の情報処理システム。
【請求項４】
複数のキューで管理されたジョブを処理する情報処理システムにおける制御方法であって、
前記情報処理システム内で定期的に生成される第１のジョブを第１のキューに投入する第１の投入工程と、
前記情報処理システムが提供する画面を介した入力に対応する要求の受信に応じて生成される第２のジョブを、複数のキューの何れかに投入すべきか判定する判定工程と、
前記判定工程での判定に従い、前記第２のジョブを複数のキューの何れかに投入する第２の投入工程と、
前記第２のジョブの処理対象となったデータを用いた情報提供を行う提供工程と、を有し、
前記判定工程では、前記第２のジョブの処理対象となるデータの処理が完了していない場合には第２のキューに前記第２のジョブを投入すべきと判定され、前記第２のジョブの処理対象となるデータの処理が完了していた場合には第３のキューに前記第２のジョブを投入すべきと判定され、
前記第２のキューで管理された前記第２のジョブが情報処理システムで処理された場合には、前記第３のキューに当該第２のジョブに対応して生成されたジョブが投入され、
前記提供工程では、前記第３のキューで管理されたジョブの属性情報に従い、前記第２のジョブの処理対象となったデータを用いた情報提供が行われることを特徴とする制御方法。
【手続補正２】
【補正対象書類名】明細書
【補正対象項目名】００１１
【補正方法】変更
【補正の内容】
【００１１】
上記課題を解決するために、本発明は、複数のキューで管理されたジョブを処理する情報処理システムであって、前記情報処理システム内で定期的に生成される第１のジョブを第１のキューに投入する第１の投入手段と、前記情報処理システムが提供する画面を介した入力に対応する要求の受信に応じて生成される第２のジョブを、複数のキューの何れかに投入すべきか判定する判定手段と、前記判定手段による判定に従い、前記第２のジョブを複数のキューの何れかに投入する第２の投入手段と、前記第２のジョブの処理対象となったデータを用いた情報提供を行う提供手段と、を有し、
前記判定手段は、前記第２のジョブの処理対象となるデータの処理が完了していない場合には第２のキューに前記第２のジョブを投入すべきと判定し、前記第２のジョブの処理対象となるデータの処理が完了していた場合には第３のキューに前記第２のジョブを投入すべきと判定し、前記第２のキューで管理された前記第２のジョブが情報処理システムで処理された場合には、前記第３のキューに当該第２のジョブに対応して生成されたジョブが投入され、前記提供手段は、前記第３のキューで管理されたジョブの属性情報に従い、前記第２のジョブの処理対象となったデータを用いた情報提供を行うことを特徴とする。
【手続補正書】
【提出日】平成30年5月25日(2018.5.25)
【手続補正１】
【補正対象書類名】特許請求の範囲
【補正対象項目名】全文
【補正方法】変更
【補正の内容】
【特許請求の範囲】
【請求項１】
ヘッドマウント・ディスプレイによって提示される仮想空間中でオブジェクトを制御する方法であって、
ヘッドマウント・ディスプレイの動きを検出する検出ステップと、
検出された前記動きに基づいて前記仮想空間中で視野を移動させる視野移動ステップと、
前記視野の移動に基づいて前記視野内のオブジェクトを移動させる第１のオブジェクト移動ステップと、
前記オブジェクトの少なくとも一部が前記視野の外に位置するようになったことを判定する判定ステップと、
前記オブジェクトの少なくとも一部が前記視野の外に位置すると判定されたとき、前記オブジェクトの前記少なくとも一部が前記視野内に戻るよう前記仮想空間中で前記オブジェクトを移動させる第２のオブジェクト移動ステップと
を含む方法。
【請求項２】
前記判定ステップは、前記オブジェクトの前記少なくとも一部が所定方向において前記視野の外に位置するようになったことを判定するステップを含み、
前記第２のオブジェクト移動ステップは、前記オブジェクトを前記所定方向に沿って移動させるステップを含む、請求項１に記載の方法。
【請求項３】
前記第２のオブジェクト移動ステップは、前記視野の移動速度に関わらず、前記オブジェクトを有限の速度で移動させるステップを含む、請求項１又は２に記載の方法。
【請求項４】
前記オブジェクトを前記視野内の初期状態の位置に対応する前記仮想空間中の位置に配置し、前記オブジェクトの移動速度を初期化する初期化ステップと、
前記第２のオブジェクト移動ステップによって前記オブジェクトを移動させた後、前記オブジェクトの移動速度を再初期化する再初期化ステップと
を含む、請求項１〜３のいずれか一項に記載の方法。
【請求項５】
前記再初期化ステップは、前記オブジェクトを移動させた後、前記オブジェクトの位置が前記初期状態の位置と一致した場合に、前記オブジェクトの移動速度を再初期化するステップを含む、請求項４に記載の方法。
【請求項６】
ヘッドマウント・ディスプレイによって提示される仮想空間中でオブジェクトを制御する方法であって、
前記オブジェクトを前記視野内の初期状態の位置に対応する前記仮想空間中の位置に配置し、前記仮想空間中の前記オブジェクトの移動速度ベクトルＶを０に初期化する初期化ステップと、
ヘッドマウント・ディスプレイの動きを検出するステップと、
検出された前記動きに基づいて前記仮想空間中で視野を移動させる視野移動ステップと、
前記視野の移動に基づいて、前記視野内のオブジェクトを前記移動ベクトルＶで移動させる第１のオブジェクト移動ステップと、
前記オブジェクトの少なくとも一部が前記視野の外に位置するようになったことを判定する判定ステップと、
前記オブジェクトの少なくとも一部が前記視野の外に位置すると判定されたとき、前記オブジェクトの前記少なくとも一部が前記視野内に戻るよう前記仮想空間中で前記オブジェクトを移動させる第２のオブジェクト移動ステップと、
前記視野内の前記オブジェクトの位置が前記視野内の前記初期状態の位置と一致した場合、前記移動速度ベクトルＶを０に再初期化するオブジェクト移動速度再初期化ステップと
を含み、
前記第２のオブジェクト移動ステップは、前記移動させられた視野の中で前記オブジェクトが前記初期状態の位置に戻るような値を前記移動速度ベクトルＶとして設定するオブジェクト移動速度設定ステップを含む、
方法。
【請求項７】
請求項１〜６のいずれか一項に記載の方法を実行するためのプログラム。
【請求項８】
請求項１〜６のいずれか一項に記載の方法が実行される装置。
【手続補正書】
【提出日】平成30年4月16日(2018.4.16)
【手続補正１】
【補正対象書類名】特許請求の範囲
【補正対象項目名】全文
【補正方法】変更
【補正の内容】
【特許請求の範囲】
【請求項１】
共通バスに転送される転送データを一時的に格納するバッファ部と、
入力データを前記転送データとして前記バッファ部にライトすると共に、前記入力データを前記バッファ部にライトした旨を示す通知信号を出力するライト制御部と、
前記バッファ部から前記転送データをリードするリード制御部と、
前記リード制御部により前記バッファ部からリードされた前記転送データを、所定のバスプロトコルに従って前記共通バスに転送するインターフェイス部と、
前記通知信号を遅延させ、前記バッファ部から前記転送データをリードするタイミングを制御するためのリード制御信号を生成して前記リード制御部に出力することにより、前記共通バスの帯域を平滑化する帯域平滑部と、
を備え、
前記リード制御部は、前回のリード制御信号に応答して前記バッファ部から既にリードした前回の転送データが存在する場合、その前回の転送データのＤＭＡ転送要求ＲＥＱに対するＤＭＡ転送受付ＡＣＫが前記インターフェイス部で受信されていることを条件に、前記バッファ部から今回の転送データをリードする
データ転送装置。
【請求項２】
前記帯域平滑部は、
前記入力データをなす画素データが前記ライト制御部により前記バッファ部に順次的にライトされるに従って前記ライト制御部から順次的に出力される前記通知信号を遅延させることにより、所定の時間間隔を空けて、前記通知信号を前記制御信号として順次的に出力することを特徴とする請求項１に記載のデータ転送装置。
【請求項３】
前記帯域平滑部は、
前記ライト制御部から順次的に出力される前記通知信号を保持するためのＦＩＦＯメモリと、
前記ライト制御部から順次的に出力される前記通知信号に応答して、前記ＦＩＦＯメモリに保持された通知信号のうち、リードされていない通知信号の数をカウントする第１のカウンタと、
前記所定の時間間隔を与えるカウント値に到達するまで所定周期でカウントアップし、前記ＦＩＦＯメモリのリードのタイミングで初期化される第２のカウンタと、
前記第２のカウンタのカウント値が所定値に到達し、且つ、前記第１のカウンタのカウント値が、前記ＦＩＦＯメモリからリードされていない通知信号が前記ＦＩＦＯメモリに存在することを示す場合、前記ＦＩＦＯメモリからリードされていない通知信号を前記ＦＩＦＯメモリから前記制御信号としてリードして出力させるリード判定部と、
を備えたことを特徴とする請求項２に記載のデータ転送装置。
【請求項４】
共通バスに転送される転送データとして入力データをバッファ部にライトし、前記入力データを前記バッファ部にライトした旨を示す通知信号を出力する第１ステップと、
前記通知信号を遅延させ、前記共通バスの帯域を平滑化するように前記バッファ部から前記転送データをリードするためのリード制御信号を生成する第２ステップと、
前記リード制御信号に応答して前記バッファ部から前記転送データをリードする第３ステップと、
前記バッファ部からリードされた前記転送データを、所定のバスプロトコルに従って前記共通バスに転送する第４ステップと、
を含み、
前記第３ステップは、前回のリード制御信号に応答して前記バッファ部から既にリードした前回の転送データが存在する場合、その前回の転送データのＤＭＡ転送要求ＲＥＱに対するＤＭＡ転送受付ＡＣＫが発行されていることを条件に、前記バッファ部から今回の転送データをリードする
データ転送方法。
【手続補正２】
【補正対象書類名】明細書
【補正対象項目名】０００９
【補正方法】変更
【補正の内容】
【０００９】
本発明に係るデータ転送装置は、共通バスに転送される転送データを一時的に格納するバッファ部と、入力データを前記転送データとして前記バッファ部にライトすると共に、前記入力データを前記バッファ部にライトした旨を示す通知信号を出力するライト制御部と、前記バッファ部から前記転送データをリードするリード制御部と、前記リード制御部により前記バッファ部からリードされた前記転送データを、所定のバスプロトコルに従って前記共通バスに転送するインターフェイス部と、前記通知信号を遅延させ、前記バッファ部から前記転送データをリードするタイミングを制御するためのリード制御信号を生成して前記リード制御部に出力することにより、前記共通バスの帯域を平滑化する帯域平滑部と、を備え、前記リード制御部は、前回のリード制御信号に応答して前記バッファ部から既にリードした前回の転送データが存在する場合、その前回の転送データのＤＭＡ転送要求ＲＥＱに対するＤＭＡ転送受付ＡＣＫが前記インターフェイス部で受信されていることを条件に、前記バッファ部から今回の転送データをリードする。
【手続補正３】
【補正対象書類名】明細書
【補正対象項目名】００１０
【補正方法】削除
【補正の内容】
【手続補正４】
【補正対象書類名】明細書
【補正対象項目名】００１３
【補正方法】変更
【補正の内容】
【００１３】
本発明に係るデータ転送方法は、共通バスに転送される転送データとして入力データをバッファ部にライトし、前記入力データを前記バッファ部にライトした旨を示す通知信号を出力する第１ステップと、前記通知信号を遅延させ、前記共通バスの帯域を平滑化するように前記バッファ部から前記転送データをリードするためのリード制御信号を生成する第２ステップと、前記リード制御信号に応答して前記バッファ部から前記転送データをリードする第３ステップと、前記バッファ部からリードされた前記転送データを、所定のバスプロトコルに従って前記共通バスに転送する第４ステップと、を含み、前記第３ステップは、前回のリード制御信号に応答して前記バッファ部から既にリードした前回の転送データが存在する場合、その前回の転送データのＤＭＡ転送要求ＲＥＱに対するＤＭＡ転送受付ＡＣＫが発行されていることを条件に、前記バッファ部から今回の転送データをリードする。